(57)【要約】【課題】著作権を侵害することなく暗号化して録画した情報を損失することなく、記憶容量の増加、機器交換に容易に対応できるようにする。【解決手段】個別情報を記憶する記憶媒体が装着手段１９ｂに装着されると共に、接続手段１９ａには外部録画装置３０が映像信号の入出力が可能なように接続される。選択手段１１は、入力されたデジタル映像信号から、記憶媒体４０の所定情報に基づいて利用者の視聴可能なコンテンツ映像信号を選択する。個別情報取得手段１７ａは、装着手段１９ｂに装着された記憶媒体４０から個別情報を取得し、暗号キー生成手段１７ｂはその個別情報に基づいて暗号キーを生成する。暗号化手段１６ａはその暗号キーに基づいて選択手段１１が選択したコンテンツ映像信号を暗号化し、外部録画手段１７ｃは、その暗号化コンテンツ映像信号を接続手段１９ａに接続している外部録画装置３０に録画する。【選択図】図１
2008211580.tif 000002
【特許請求の範囲】
【請求項１】
所定情報を記憶している記憶媒体が着脱自在に装着される装着手段と、複数のコンテンツからなるデジタル映像信号から前記所定情報に基づいて利用者の視聴可能なコンテンツ映像信号を選択する選択手段と、を有する映像受信装置において、
前記選択手段が選択したコンテンツ映像信号を録画する外部録画装置が接続される接続手段と、
前記装着手段を介して前記記憶媒体が記憶している個別情報を取得する個別情報取得手段と、
前記個別情報取得手段が取得した個別情報に基づいて暗号キーを生成する暗号キー生成手段と、
前記暗号キー生成手段が生成した暗号キーに基づいて前記選択手段が選択した録画対象のコンテンツ映像信号を暗号化する暗号化手段と、
前記暗号化手段が暗号化した暗号化コンテンツ映像信号を前記接続手段に接続している外部録画装置に録画する外部録画手段と、
を有することを特徴とする映像受信装置。
【請求項２】
前記外部録画手段が前記外部録画装置に録画した暗号化コンテンツ映像信号を、前記暗号キー生成手段が生成した暗号キーに基づいて復号化する復号化手段を有することを特徴とする請求項１に記載の映像受信装置。
【請求項３】
前記記憶媒体は、前記コンテンツの限定受信用情報を記憶した記憶媒体であることを特徴とする請求項１又は２に記載の映像受信装置。
【請求項４】
前記コンテンツ映像信号の暗号化に用いる入力情報を取得する入力情報取得手段を有し、
前記暗号キー生成手段は、前記個別情報と前記入力情報取得手段が取得した入力情報とに基づいて前記暗号キーを生成する手段であることを特徴とする請求項１〜３の何れか１項に記載の映像受信装置。
【請求項５】
前記暗号キー生成手段が所定のタイミングで生成した暗号キーを記憶する暗号キー記憶手段を有し、
前記暗号化手段は、前記暗号キー記憶手段が記憶している暗号キーに基づいて前記コンテンツ映像信号を暗号化する手段であることを特徴とする請求項１〜４の何れか１項に記載の映像受信装置。
【請求項６】
請求項１〜５の何れか１項に記載の映像受信装置と、前記映像受信装置の外部に設けられ且つ前記映像受信装置に接続される外部録画装置と、を有することを特徴とする映像蓄積システム。
【請求項７】
所定情報を記憶している記憶媒体が着脱自在に装着される装着手段と、複数のコンテンツからなるデジタル映像信号から前記所定情報に基づいて利用者の視聴可能なコンテンツ映像信号を選択する選択手段と、前記選択手段が選択したコンテンツ映像信号を録画する外部録画装置が接続される接続手段と、を有する映像受信装置における暗号化コンテンツ映像蓄積方法であって、
前記記憶媒体が記憶している個別情報を取得する個別情報取得工程と、
前記取得した個別情報に基づいて暗号キーを生成する暗号キー生成工程と、
前記生成した暗号キーに基づいて録画対象の前記コンテンツ映像信号を暗号化する暗号化工程と、
前記暗号化した暗号化コンテンツ映像信号を前記接続手段に接続している外部録画装置に録画する外部録画工程と、
を有することを特徴とする暗号化コンテンツ映像蓄積方法。
【発明の詳細な説明】
【技術分野】
【０００１】
本発明は、複数のコンテンツからなる多重化したデジタル映像信号を受信する映像受信装置、映像蓄積システム、暗号化コンテンツ映像蓄積方法等に関するものである。
【背景技術】
【０００２】
一般家庭などにはケーブルテレビ（ＣＡＴＶ：cable television）が普及しており、ＣＡＴＶは多チャンネルの番組映像が有線で重畳送信されるため、番組選択装置であるセットトップボックス（ＳＴＢ：set-top box）をテレビジョン受信機等の上流側に配置することが知られている。ＣＡＴＶでは、デジタル化が進んでおり、地上デジタル放送、ＢＳ（Broadcasting satellite）デジタル放送などの再送信や、局独自の番組編成で送出しているリマックス放送などのデジタル放送を行っている。
【０００３】
また、高精細なＨＤ（High Definition）放送も増加しており、これらのデジタル放送のコンテンツを簡単に劣化なくデジタル録画可能なＳＴＢの需要が高まっている。そして、ＳＴＢと録画装置との接続形態を簡素化するために、映像装置が受信した映像信号から抽出した動作制御データに基づいて動作制御を行うようにすることで、ＳＴＢと映像装置とを接続するケーブルが映像用ケーブルだけでユーザのセットアップ作業を行えるようにしている（特許文献１参照）。
【特許文献１】特開２００５−３４１０３９号公報
【発明の開示】
【発明が解決しようとする課題】
【０００４】
また、ＳＴＢにはハードディス装置（ＨＤＤ）を内蔵したものが知られており、このＳＴＢでも、ＨＤＤに記録される情報は暗号化して記録しているが、暗号化に用いられる鍵情報としてＳＴＢ固有の情報を用いていた。このように暗号化することで、他のＳＴＢ等での再生を不能として著作権を保護するようにしていた。
【０００５】
しかしながら、ＨＤＤ以外の故障でＳＴＢ本体が交換となった場合、ＨＤＤに記録した情報が再生できなくなるという問題があった。また、本体交換時にＳＴＢの固有情報を書き換え、交換前のＳＴＢ固有情報と同じ値にして、ＨＤＤに記録した情報を再生することは技術的には可能であるが、著作権保護上問題となる。さらに、ＨＤＤを内蔵していると、交換や容量アップが困難であるとの問題があった。本発明が解決しようとする課題は、上記した問題が一例として挙げられる。
【０００６】
よって本発明は、上述した問題点に鑑み、著作権を侵害することなく暗号化して録画した情報を損失することなく、記憶容量の増加、機器交換に容易に対応することができる映像受信装置、映像蓄積システム、及び、暗号化コンテンツ映像蓄積方法等を提供することを課題としている。
【課題を解決するための手段】
【０００７】
上記課題を解決するため本発明によりなされた請求項１記載の映像受信装置は、所定情報を記憶している記憶媒体が着脱自在に装着される装着手段と、複数のコンテンツからなるデジタル映像信号から前記所定情報に基づいて利用者の視聴可能なコンテンツ映像信号を選択する選択手段と、を有する映像受信装置において、前記選択手段が選択したコンテンツ映像信号を録画する外部録画装置が接続される接続手段と、前記装着手段を介して前記記憶媒体が記憶している個別情報を取得する個別情報取得手段と、前記個別情報取得手段が取得した個別情報に基づいて暗号キーを生成する暗号キー生成手段と、前記暗号キー生成手段が生成した暗号キーに基づいて前記選択手段が選択した録画対象のコンテンツ映像信号を暗号化する暗号化手段と、前記暗号化手段が暗号化した暗号化コンテンツ映像信号を前記接続手段に接続している外部録画装置に録画する外部録画手段と、を有することを特徴とする。
【０００８】
上記課題を解決するため本発明によりなされた請求項６記載の映像蓄積システムは、請求項１〜５の何れか１項に記載の映像受信装置と、前記映像受信装置の外部に設けられ且つ前記映像受信装置に接続される外部録画装置と、を有することを特徴とする。
【０００９】
上記課題を解決するため本発明によりなされた請求項７記載の暗号化コンテンツ映像蓄積方法は、所定情報を記憶している記憶媒体が着脱自在に装着される装着手段と、複数のコンテンツからなるデジタル映像信号から前記所定情報に基づいて利用者の視聴可能なコンテンツ映像信号を選択する選択手段と、前記選択手段が選択したコンテンツ映像信号を録画する外部録画装置が接続される接続手段と、を有する映像受信装置における暗号化コンテンツ映像蓄積方法であって、前記記憶媒体が記憶している個別情報を取得する個別情報取得工程と、前記取得した個別情報に基づいて暗号キーを生成する暗号キー生成工程と、前記生成した暗号キーに基づいて録画対象の前記コンテンツ映像信号を暗号化する暗号化工程と、前記暗号化した暗号化コンテンツ映像信号を前記接続手段に接続している外部録画装置に録画する外部録画工程と、を有することを特徴とする。
【発明を実施するための最良の形態】
【００１０】
以下、本発明に係る映像受信装置、映像蓄積システム、及び、暗号化コンテンツ映像蓄積方法の一最良の形態を、図１の図面を参照して以下に説明する。
【００１１】
図１において、映像受信装置１０は、所定情報を記憶している記憶媒体４０が着脱自在に装着される装着手段１９ｂと、複数のコンテンツからなるデジタル映像信号から前記所定情報に基づいて利用者の視聴可能なコンテンツ映像信号を選択する選択手段１１と、を有する映像受信装置１０において、前記選択手段１１が選択したコンテンツ映像信号を録画する外部録画装置３０が接続される接続手段１９ａと、前記装着手段１９ｂを介して前記記憶媒体４０が記憶している個別情報を取得する個別情報取得手段１７ａと、前記個別情報取得手段１７ａが取得した個別情報に基づいて暗号キーを生成する暗号キー生成手段１７ｂと、前記暗号キー生成手段１７ｂが生成した暗号キーに基づいて前記選択手段１１が選択した録画対象のコンテンツ映像信号を暗号化する暗号化手段１６ａと、前記暗号化手段１６ａが暗号化した暗号化コンテンツ映像信号を前記接続手段１９ａに接続している外部録画装置３０に録画する外部録画手段１７ｃと、を有している。
【００１２】
また、所定情報を記憶している記憶媒体４０が着脱自在に装着される装着手段１９ｂと、複数のコンテンツからなるデジタル映像信号から前記所定情報に基づいて利用者の視聴可能なコンテンツ映像信号を選択する選択手段１１と、前記選択手段１１が選択したコンテンツ映像信号を録画するために外部に設けられた外部録画装置３０が接続される接続手段１９ａと、を有する映像受信装置における暗号化コンテンツ映像蓄積方法であって、前記記憶媒体４０が記憶している個別情報を取得する個別情報取得工程と、前記取得した個別情報に基づいて暗号キーを生成する暗号キー生成工程と、前記生成した暗号キーに基づいて録画対象の前記コンテンツ映像信号を暗号化する暗号化工程と、前記暗号化した暗号化コンテンツ映像信号を前記接続手段１９ａに接続している外部録画装置３０に録画する外部録画工程と、を有している。
【００１３】
この映像受信装置１０及び暗号化コンテンツ映像蓄積方法によれば、個別情報を記憶する記憶媒体が装着手段１９ｂに装着されると共に、接続手段１９ａには外部録画装置３０がケーブル等を介して映像信号の入出力が可能なように接続される。選択手段１１は、ＣＡＴＶの基地局等から入力されたデジタル映像信号から、記憶媒体４０の所定情報、利用者の指定した録画対象等の利用者の視聴可能なコンテンツ映像信号を選択する。そして、個別情報取得手段１７ａは、装着手段１９ｂに装着された記憶媒体４０から個別情報を取得し、暗号キー生成手段１７ｂはその個別情報に基づいて暗号キーを生成する。暗号化手段１６ａはその暗号キーに基づいて選択手段１１が選択した録画対象のコンテンツ映像信号を暗号化し、外部録画手段１７ｃは、その暗号化コンテンツ映像信号を接続手段１９ａに接続している外部録画装置３０に録画する。
【００１４】
よって、着脱自在の記憶媒体４０に記憶している個別情報に基づいて暗号キーを生成し、該暗号キーに基づいてコンテンツ映像信号を暗号化すると共に、外部録画装置３０を接続する接続手段１９ａを設け、その外部録画装置３０に暗号化コンテンツ映像信号を録画するようにしたことから、装置本体には依存しない記憶媒体４０の個別情報に基づいて生成した暗号キーで暗号化できるため、本体故障時等には本体交換のみで対応することができる。また、外付の外部録画装置３０に録画するため、外部録画装置３０の交換、記憶容量の増加、外部録画装置３０の増設等に容易に対応することができ、利便性を向上させることができる。従って、著作権を侵害することなく暗号化して録画した情報を損失することなく、記憶容量の増加、機器交換に容易に対応することができる映像受信装置１０を提供することができる。
【００１５】
また、上述した映像受信装置１０は、前記外部録画手段１７ｃが前記外部録画装置３０に録画した暗号化コンテンツ映像信号を、前記暗号キー生成手段１７ｂが生成した暗号キーに基づいて復号化する復号化手段１６ｂを有している。
【００１６】
この映像受信装置１０によれば、外部録画手段１７ｃが前記外部録画装置３０に録画した暗号化コンテンツ映像信号を、復号化手段１６ｂは暗号キー生成手段１７ｂが生成した暗号キーに基づいて復号化する。このようにしたことから、外部録画装置３０を他の映像受信装置１０に接続しても、異なる暗号キーでは復号化できないため、著作権の侵害を確実に防止して録画を行うことができる。
【００１７】
また、上述した映像受信装置１０において、前記記憶媒体４０は、前記コンテンツの限定受信用情報を記憶した記憶媒体となっている。
【００１８】
この映像受信装置１０によれば、記憶媒体４０を加入者のコンテンツ毎の契約状況等を示す限定受信用情報を記憶した各種ＣＡＳ（Conditional Access System）カードとしたことから、複製することは技術的に困難であるため、セキュリティーをより一層高めることができる。また、セットトップボックスであれば各種ＣＡＳカードが必須であるため、個別情報を取得するために新たな構成を追加する必要がなく、既存の構成を用いて暗号キーを生成することができる。また、各種ＣＡＳカードと外部録画装置３０をペアで他の映像受信装置等に移動させれば、著作権を侵害することなく、他の映像受信装置等でも録画内容を視聴することができる。
【００１９】
また、上述した映像受信装置１０は、前記コンテンツ映像信号の暗号化に用いる入力情報を取得する入力情報取得手段１７ｄを有し、前記暗号キー生成手段１７ｂは、前記個別情報と前記入力情報取得手段１７ｄが取得した入力情報とに基づいて前記暗号キーを生成する手段となっている。
【００２０】
この映像受信装置１０によれば、入力情報取得手段１７ｄはＣＡＴＶの基地局からの受信、作業員による入力等によって暗号化に用いる入力情報を取得し、暗号キー生成手段１７ｂはその入力情報と前記個別情報とに基づいて暗号キーを生成する。このようにしたことから、暗号キーを生成する際に第三者からの入力情報が必要なため、暗号キーのセキュリティをより一層高めることができ、著作権の侵害を確実に防止して録画を行うことができる。
【００２１】
また、上述した映像受信装置１０は、前記暗号キー生成手段１７ｂが所定のタイミングで生成した暗号キーを記憶する暗号キー記憶手段１８を有し、前記暗号化手段１６ａは、前記暗号キー記憶手段１８が記憶している暗号キーに基づいて前記コンテンツ映像信号を暗号化する手段となっている。
【００２２】
この映像受信装置１０によれば、暗号キー生成手段１７ｂが例えば装置本体の起動時、着脱自在の記憶媒体４０の装着を認識した時等の所定のタイミングで生成した暗号キーを暗号キー記憶手段１８に記憶し、該暗号キーに基づいて暗号化手段１６ａはコンテンツ映像信号を暗号化する。このようにしたことから、暗号キーを頻繁に生成する必要がなくなり、処理の簡単化を図ることができるため、例えば集積回路、ＡＳＩＣ（application specific integrated circuit）等で簡単に実現することができる。
【００２３】
図１において、映像蓄積システム１は、上述した任意の映像受信装置１０と、前記映像受信装置１０の外部に設けられ且つ前記映像受信装置１０に接続される外部録画装置３０と、を有している。
【００２４】
この映像蓄積システム１によれば、映像受信装置１０が装着された記憶媒体から取得した個別情報に基づいて暗号キーを生成し、該暗号キーに基づいて暗号化したコンテンツ映像信号を、その外部に設けた外部録画装置３０に録画して蓄積する。
【００２５】
よって、映像受信装置１０に着脱自在の記憶媒体４０に記憶している個別情報に基づいて暗号キーを生成し、該暗号キーに基づいてコンテンツ映像信号を暗号化すると共に、外部録画装置３０を接続する接続手段１９ａを設け、その外部録画装置３０に暗号化コンテンツ映像信号を録画するようにしたことから、映像受信装置１０には依存しない記憶媒体４０の個別情報に基づいて生成した暗号キーで暗号化できるため、映像受信装置１０の故障時等には映像受信装置１０の交換のみで対応することができる。また、外付の外部録画装置３０に録画するため、外部録画装置３０の交換、記憶容量の増加、外部録画装置３０の増設等に容易に対応することができ、利便性を向上させることができる。従って、著作権を侵害することなく暗号化して録画した情報を損失することなく、記憶容量の増加、機器交換に容易に対応することができる映像蓄積システムを提供することができる。
【実施例】
【００２６】
次に、本発明に係る映像受信装置、映像蓄積システム、及び、暗号化コンテンツ映像蓄積方法の実施例を、図２〜図６の図面を参照して以下に説明する。なお、上述した各手段と同一あるいは相当する部分には同一符号を付して説明する。
【００２７】
図２において、映像蓄積システム１は、映像受信装置としてのセットトップボックス（ＳＴＢ）１０と、表示装置２０と、外部録画装置３０と、を有している。表示装置２０と外部録画装置３０は、ＳＴＢ１０にケーブルＣ等を介して接続されている。ＳＴＢ１０は、ＣＡＴＶヘッドエンド５にＣＡＴＶネットワーク６を介して接続している。
【００２８】
なお、ＣＡＴＶヘッドエンド５は、公知であるように、混合器５１、地上デジタル放送再送信設備５２、ＢＳデジタル放送再送信設備５３、リマックス放送送信設備５４等を有している。ＣＡＴＶヘッドエンド５は、地上デジタル放送再送信設備５２、ＢＳデジタル放送再送信設備５３、リマックス放送送信設備５４等からの複数のコンテンツ（多チャンネル）のビデオ（映像）とオーディオ（音声）等のデータを変調したデジタル変調信号（デジタル映像信号）を、混合器５１で混合してＣＡＴＶネットワーク６に送出している。
【００２９】
デジタル変調信号は、ＭＰＥＧ−２ＴＳ形式に圧縮された映像信号となっている。即ち、１本のストリームに複数のチャンネル（コンテンツ）を多重して格納可能である。ＭＰＥＧ−２ＴＳパケットの基本構造は、１８８バイトで１つのＴＳパケットとなっており、ＴＳヘッダとビデオ・オーディオデータなどを有している。ＴＳヘッダはＰＩＤ情報を有し、ＴＳパケット内のデータにより異なるＰＩＤ情報が付与される為、複数のチャンネル（コンテンツ）が格納されている場合にも容易にチャンネル（コンテンツ）関連したＴＳパケットを選択できるようになっている。
【００３０】
ＳＴＢ１０は、入力部１１と、デスクランブル部１２と、フィルタリング部１３と、デコーダ部１４と、出力処理部１５と、暗号復号部１６と、制御部１７と、メモリ１８と、インタフェース部１９と、を有している。
【００３１】
入力部１１は、ＣＡＴＶネットワーク６からのケーブル７が接続され、入力されるデジタル変調信号の中から利用者の視聴可能なコンテンツ映像信号を含む変調信号を選択、復調してＭＰＥＧ−２ＴＳ形式の映像信号をデスクランブル部１２に出力する。
【００３２】
デスクランブル部１２は、入力された映像信号の中からＭＰＥＧ−２ＴＳ内の必要なＴＳパケットのデスクランブルを行い、該ＴＳパケットをフィルタリング部１３に出力する。フィルタリング部１３は、必要なパケットのフィルタリングを行う。ＴＳパケットのデスクランブルには、復号キーが必要となるが、ＭＰＥＧ−２ＴＳ内のＥＣＭパケットを後述する各ＣＡＳカードに入力すると、その応答として復号キーが得られる仕組みとなっている。
【００３３】
デコーダ部１４は、圧縮されている映像、音声データを伸張して元のデータに復元する。そして、伸張された映像データは映像処理部１５ａ、音声データは音声処理部１５ｂにそれぞれ出力する。
【００３４】
出力処理部１５は、映像処理部１５ａと、音声処理部１５ｂと、を有している。映像処理部１５ａは、入力された映像データに対してＯＳＤやスケーリング処理などを行った後に表示装置２０等に出力する。音声処理部１５ｂは、入力された音声データに対してＤ／Ａ変換などを行った後に表示装置２０等に出力する。
【００３５】
暗号復号部１６は、フィルタリング部１３で選択された録画対象のＴＳパケットがパーシャルＴＳとして入力されると、該パーシャルＴＳをＢ−ＣＡＳカードのカードＩＤ等の個別情報に基づいて生成された暗号キーに基づいて暗号化する。そして、暗号化されたパーシャルＴＳを外部録画装置３０に接続部１９ａを介して出力する。
【００３６】
制御部１７は、ＳＴＢ１０全体の制御を司る。制御部１７は、周知であるマイクロプロセッサユニット、ＤＳＰ（Digital Signal Processor）等が用いられる。制御部１７は、上述した映像受信装置としての個別情報取得手段、暗号キー生成手段、外部録画手段、入力情報取得手段等の各種手段として機能するための暗号キー生成処理、録画再生制御処理等の各種プログラムを、メモリ１８に記憶しており、それらのプログラムを実行することで各手段として機能することになる。そして、制御部１７は、入力部１１、暗号復号部１６、メモリ１８、インタフェース部１９等に接続している。
【００３７】
メモリ１８は、ＥＥＰＲＯＭ（electrically erasable and programmable ROM）、ＮＶＲＡＭ（Non Volatile RAM）、ＲＡＭ（random access memory）等が用いられる。メモリ１８は、暗号キーや取得した個別情報を記憶するものであり、前記暗号キー記憶手段として機能している。また、メモリ１８は、暗号復号部１６に接続しており、その暗号／復号に必要な各種パラメータを記憶している。これらの暗号キーや各種パラメータの情報はセキュリティを高める為、暗号化した状態でメモリ１８に記憶される。
【００３８】
インタフェース部１９は、前記接続手段としての接続部１９ａと、前記装着手段としての複数（図２中では２つ）のＣＡＳ部１９ｂと、を有している。
【００３９】
接続部１９ａは、各種接続ケーブルが接続されるコネクタとインタフェース回路を有し、暗号復号部１６から入力されるパーシャルＴＳを外部録画装置３０に出力すると共に、外部録画装置３０からの入力されたパーシャルＴＳを暗号復号部１６に出力する。
【００４０】
ＣＡＳ部１９ｂは、公知であるＣ−ＣＡＳカード４１又はＢ−ＣＡＳカード４２が装着されるカードスロットとなっている。そして、制御部１７からの読み取り要求に応じて各カード４０から情報を読み出し、その情報を制御部１７に出力する。
【００４１】
なお、Ｃ−ＣＡＳカード４１は、ＣＡＴＶにおける専門多チャンネル放送を視聴するために必要なカードとなっている。Ｂ−ＣＡＳ４２は、ＢＳデジタル放送（地上テジタル放送）の視聴や利用者から各放送局に情報発信する場合に必要なカードとなっている。Ｃ−ＣＡＳカード４１及びＢ−ＣＡＳカード４２は、ユニークに割り振られた識別データ等を有する個別情報を記憶しており、その個別情報は外部から参照可能になっている。
【００４２】
このように構成したＳＴＢ１０は、入力部１１で利用者の指定等により、ＣＡＴＶネットワーク６から入力されるデジタル変調信号から該当するコンテンツ映像信号を含む変調信号の選択、復調を行う。デスクランブル部１２で視聴や録画が選択されたＴＳパケットのデスクランブルを行い、フィルタリング部１３で該当するＴＳパケットが選択されてパーシャルＴＳとしてデコーダ部１４に出力する。そして、デコーダ部１４は、圧縮されている映像、音声データを伸張して元のデータに復元し、インタフェース部１５は映像処理部１５ａ及び音声処理部１５ｂによってそれらのデータを表示装置２０にて出力させる。
【００４３】
次に、表示装置２０は、テレビジョン受信機やチューナを内蔵しないテレビモニタ等が用いられ、映像入力にはＳＴＢ１０の映像処理部１５ａ、音声入力にはＳＴＢ１０の音声処理部１５ｂがそれぞれ接続される。そして、表示装置２０は、各入力から入力された映像音声を利用者に対して出力する。
【００４４】
次に、外部録画装置３０は、外部接続部３１と、記憶部３２と、管理部３３と、を有している。外部接続部３１と記憶部３２とは図示しない外部側制御部等を介して接続している。外部接続部３１は、上述した接続部１９ａに対応したコネクタとインタフェース回路を有している。外部接続部３１は、ＳＴＢ１０から入力されるパーシャルＴＳ等のデータを管理部３３に出力すると共に、管理部３３から入力されたパーシャルＴＳ等のデータをＳＴＢ１０に出力する。
【００４５】
記憶部３２は、ハードディスク装置等が用いられ、録画リスト等を示すコンテンツ管理情報と、暗号化コンテンツ情報等を記憶している。管理部３３は、外部録画装置３０全体の制御を司り、周知であるマイクロプロセッサユニット等が用いられる。管理部３３は、記憶部３２に対する書き込み、読み出し等を制御することで、コンテンツ管理情報と、暗号化コンテンツ情報を管理している。外部からの要求に応じて録画リストを表示装置２０にＳＴＢ１０を介して表示させる。そして、その選択された録画タイトルの暗号化コンテンツ情報をＳＴＢ１０に外部接続部３１を介して出力する。
【００４６】
また、記憶部３２に記憶媒体４０の個別情報に基づいた認証情報を記憶し、外部録画装置３０が現在ＳＴＢ１０に装着されている記憶媒体４０の個別情報で録画再生可能な装置であるか容易に検出することができるようにすることも可能である。
【００４７】
次に、上述したＳＴＢ１０において、制御部１７が実行する暗号キー生成処理の一例を図４の図面を参照して以下に説明する。
【００４８】
ＳＴＢ１０の起動時等の予め定められた所定のタイミングで制御部１７によって実行されると、ステップＳ１１において、ＣＡＳ部１９ｂにＢ−ＣＡＳカード４２が装着されているか否かが判定される。装着されていないと判定された場合（Ｓ１１でＮ）、Ｂ−ＣＡＳカード４２の装着を待つ。一方、装着されていると判定された場合（Ｓ１１でＹ）、ステップＳ１２に進む。
【００４９】
ステップＳ１２において、ＣＡＳ部１９ｂを介してＢ−ＣＡＳカード４２から個別情報が取得されてメモリ１８に記憶され、ステップＳ１３（入力情報取得手段）において、暗号キーの生成に用いられる付加情報が生成／取得されてメモリ１８に記憶され、その後ステップＳ１４に進む。
【００５０】
なお、Ｂ−ＣＡＳカード４２の個別情報（カードＩＤ）は、本体を参照すると確認できるため、本実施例では、個別情報と付加情報とを組み合わせて用いている。そして、付加情報としては、利用者が分からないＣＡＴＶヘッドエンド５からの受信データ（オペレータＩＤ等）、作業員等による入力データ、発生させた乱数データ等が挙げられる。
【００５１】
また、本付加情報は、例えばＳＴＢ１０の設置時等に入力される為、Ｂ−ＣＡＳカード４２が装着される度に必ずしも入力が必要ではない。この場合、ステップＳ１３は暗号キー生成の為、本付加情報を準備することを意味している。ただし、個別情報として利用者等が確認できない情報を用いる場合は、個別情報のみで暗号キーを生成するようにしても良い。
【００５２】
ステップＳ１４（暗号キー生成手段）において、メモリ１８の個別情報と付加情報とを指定して暗号キー生成プログラムを実行することで、Ｂ−ＣＡＳカード４２の個別情報等に基づいた暗号キーが生成され、ステップＳ１５において、その暗号キーがメモリ１８に記憶され、処理を終了する。
【００５３】
なお、本暗号キー生成処理後、もしくは外部録画装置３０の装着時に、接続されている外部録画装置３０が録画再生可能な外部録画装置３０であるか判断する処理を実行することも可能である。
【００５４】
次に、上述したＳＴＢ１０において、制御部１７が実行する録画再生制御処理の一例を図５の図面を参照して以下に説明する。
【００５５】
制御部１７によって録画再生制御処理が実行されると、ステップＳ２１において、録画要求があるか否かが判定される。録画要求があったと判定された場合（Ｓ２１でＹ）、ステップＳ２２において、ＳＴＢ１０又は外部録画装置３０の図示しない操作部等によって入力された録画情報が取得され、ステップＳ２３において、該録画情報にメモリ１８の暗号キーを関連付けると共に、暗号復号部１６にその暗号キーが設定され、その後ステップＳ２４に進む。
【００５６】
ステップＳ２４において、入力部１１による録画対象の変調信号が選択、復調されると、暗号復号部１６にそのＴＳパケットの暗号化が要求され、ステップＳ２５において、外部録画装置３０に対する録画要求情報が生成され、該録画要求情報が接続部１９ａを介して外部録画装置３０に出力されることで録画が要求され、その後ステップＳ３０に進む。このようにステップＳ２２〜Ｓ２５の一連の処理が外部録画手段として機能している。
【００５７】
また、ステップＳ２１で録画要求はないと判定された場合（Ｓ２１でＮ）、ステップＳ２６において、外部録画装置３０からの入力、図示しない操作部による操作等に応じた再生要求があるか否かが判定される。再生要求はないと判定された場合（Ｓ２６でＮ）、ステップＳ３０に進む。一方、再生要求があると判定された場合（Ｓ２６でＹ）、ステップＳ２７に進む。
【００５８】
ステップＳ２７において、メモリ１８の暗号キーが暗号復号部１６に設定され、ステップＳ２８において、再生要求に対応するパーシャルＴＳの復号化が暗号復号部１６に要求され、ステップＳ２９において、再生要求に対応するパーシャルＴＳ（暗号化コンテンツ信号）の出力を要求する出力要求が接続部１９ａを介して外部録画装置３０に出力され、その後ステップＳ３０に進む。
【００５９】
ステップＳ３０において、終了要求があるか否かが判定される。終了要求がなかったと判定された場合（Ｓ３０でＮ）、ステップＳ２１に戻り、一連の処理を繰り返す。一方、終了要求があったと判定された場合（Ｓ３０でＹ）、処理を終了する。
【００６０】
次に、上述した構成によるＳＴＢ１０を有する録画蓄積システム１における暗号化、復号化に関する動作（作用）の一例を以下に説明する。
【００６１】
ＳＴＢ１０は、設置されると、入力部１１はＣＡＴＶネットワーク６に接続され、各ＣＡＳ部１９ｂにＣ−ＣＡＳカード４１、Ｂ−ＣＡＳカード４２が装着され、接続部１９ａには、外部録画装置３０が接続される。そして、電源が投入されると、上述したようにＢ−ＣＡＳカード４２から個別情報を取得し、該個別情報に基づいて暗号キーが生成されてメモリ１８に記憶される。このように録画された暗号化コンテンツ信号はＳＴＢ１０に接続された外部録画装置３０に蓄積される。
【００６２】
その後、録画要求を受けると、デスクランブル部１２で録画番組に関連したＴＳパケットのデスクランブルを行い、フィルタリング部１３で該当するＴＳパケットが選択されてパーシャルＴＳとして暗号復号部１６に出力する。暗号復号部１６は、パーシャルＴＳをメモリ１８の暗号キーで暗号化し、その暗号化パーシャルＴＳ（暗号化コンテンツ映像信号）が接続部１９ａを介して映像録画装置３０に出力する。そして、映像録画装置３０は、入力された暗号化パーシャルＴＳを暗号化コンテンツ情報として記憶部３２に記憶すると共に、コンテンツ管理情報にそのタイトル等の情報を追加して更新する。
【００６３】
また、映像録画装置３０に録画された番組を再生する場合、選択された番組の暗号化パーシャルＴＳを映像録画装置３０から接続部１９ａを介してＳＴＢ１０に出力し、メモリ１８等の暗号キーにより暗号復号部１６によって復号し、上述したように表示装置２０から出力させる。
【００６４】
以上説明した録画蓄積システム１によれば、映像受信装置１０に着脱自在のＢ−ＣＡＳカード４２に記憶している個別情報に基づいて暗号キーを生成し、該暗号キーに基づいてコンテンツ映像信号を暗号化すると共に、外部録画装置３０を接続する接続部１９ａを設け、その外部録画装置３０に暗号化コンテンツ映像信号を録画するようにしたことから、映像受信装置１０には依存しない記憶媒体４０の個別情報に基づいて生成した暗号キーで暗号化できるため、映像受信装置１０の故障時等には映像受信装置１０の交換のみで対応することができる。また、外付の外部録画装置３０に録画するため、外部録画装置３０の交換、記憶容量の増加、外部録画装置３０の増設等に容易に対応することができ、利便性を向上させることができる。従って、著作権を侵害することなく暗号化して録画した情報を損失することなく、記憶容量の増加、機器交換に容易に対応することができる映像蓄積システム１を提供することができる。
【００６５】
また、上述した実施例では、Ｂ−ＣＡＳカード４２から取得した個別情報をメモリ１８に記憶しておく場合について説明するが、本発明はこれに限定するものではなく、種々異なる実施形態とすることができる。
【００６６】
例えば、上述した図５のフローチャートを図６に示すように変形することで対応することができる。より詳細には、Ｂ−ＣＡＳカード４２の装着を検出したときに取得した個別情報を、メモリ１８に記憶して保管しておく。そして、図６に示す録画再生制御処理が実行される毎に、個別情報をＢ−ＣＡＳカード４２から取得し（Ｓ４１）、該個別情報がメモリ１８に記憶している照合用個別情報と一致しているか否かを判定する（Ｓ４２）。個別情報が一致している場合は（Ｓ４２でＹ）、上述したステップＳ２１以降の処理を行う。一方、個別情報が一致していないと判定した場合に（Ｓ４２でＮ）、警報処理を行った後に処理を終了する。このようにすることで、Ｂ−ＣＡＳカード４２の差し替え等の不正行為を確実に防止することができる。
【００６７】
また、他のＢ−ＣＡＳカード４２の個別情報に基づき、暗号化されたコンテンツ映像信号を録画した外部録画装置３０がＳＴＢ１０に接続された場合は、ＳＴＢ１０は外部録画装置３０内の認証情報を検査する等の方法で、録画再生ができない外部録画装置３０が接続されたことを確認可能である。
【００６８】
さらに、他のＢ−ＣＡＳカード４２の個別情報に基づき、暗号化されたコンテンツ映像信号を録画した外部録画装置３０を、現在使用しているＢ−ＣＡＳカード４２で録画再生可能とするには、外部録画装置３０を初期化し、認証情報を現在使用しているＢ−ＣＡＳカード４２の個別情報に基づく情報に書き換える等の方法が考えられる。その場合は、今まで録画されたコンテンツは復号できず再生不可となり、著作権の保護が実現できる。
【００６９】
また、他のＢ−ＣＡＳカード４２とその個別情報に基づき、暗号化されたコンテンツ映像信号を録画した外部録画装置３０をペアで交換し接続した場合は、ＳＴＢ１０内で他のＢ−ＣＡＳカード４２の個別情報、もしくは個別情報と付加情報を基に、暗号キーが生成される。この生成された暗号キーは交換した外部録画装置３０内の録画コンテンツを暗号化する際に使用した暗号キーと同一となる為、録画再生が可能となる。
【００７０】
さらに、暗号キーを生成するタイミングについては、電源起動時に生成する、Ｂ−ＣＡＳカード４２が挿入されたことを検出した時に生成する、暗号化を行うときに生成する、復号化を行うときに生成する、ＣＡＴＶヘッドエンド５からの生成要求に応じて生成するなど種々異なる実施形態とすることができる。
【００７１】
また、上述した実施例では、Ｂ−ＣＡＳカード４２から取得した個別情報を取得する場合について説明したが、本発明はこれに限定するものではなく、Ｃ−ＣＡＳカード４１から個別情報を取得する、Ｃ−ＣＡＳカード４１とＢ−ＣＡＳカード４２の双方から個別情報を取得するなど種々異なる実施形態とすることができる。さらに、ＵＳＢ（Universal   Serial Bus）メモリ等で外部機器を実現し、そこに個別情報を記憶し、録画や視聴時に装着するような実施形態とすることもできる。
【００７２】
さらに、上述した本実施例では、本発明の映像受信装置をＳＴＢ１０で実現する場合について説明したが、その他にも、ＨＤＤレコーダ、録画機能のあるテレビジョン受信機やパーソナル・コンピュータ等で実現することができる。
【００７３】
このように上述した実施例は本発明の代表的な形態を示したに過ぎず、本発明は、実施形態に限定されるものではない。即ち、本発明の骨子を逸脱しない範囲で種々変形して実施することができる。
【図面の簡単な説明】
【００７４】
【図１】本発明に係る映像受信装置、映像蓄積システムの基本構成を示す構成図である。
【図２】本発明に係る映像受信装置をＳＴＢで実現した場合の映像蓄積システムを示すシステム構成図である。
【図３】図２中に示すＳＴＢの概略構成の一例を示す構成図である。
【図４】図３の制御部が実行する暗号キー生成処理の一例を示すフローチャートである。
【図５】図３の制御部が実行する録画再生制御処理の一例を示すフローチャートである。
【図６】５に示す録画再生制御処理の他の一例を示す部分フローチャートである。
【符号の説明】
【００７５】
１    映像蓄積システム
５    ＣＡＴＶヘッドエンド
６    ＣＡＴＶネットワーク
１０    映像受信装置（ＳＴＢ）
１１    選択手段（入力部）
１６ａ    暗号化手段（暗号復号部）
１６ｂ    復号化手段（暗号復号部）
１７ａ    個別情報取得手段（制御部）
１７ｂ    暗号キー生成手段（制御部）
１７ｃ    外部録画手段（制御部）
１７ｄ    入力情報取得手段（制御部）
１８    暗号キー記憶手段（メモリ）
１９ａ    接続手段（接続部）
１９ｂ    装着手段（ＣＡＳ部）
３０    外部録画装置
４０    記憶媒体（Ｂ−ＣＡＳカード）
【図１】
2008211580.tif 000003
【図２】
2008211580.tif 000004
【図３】
2008211580.tif 000005
【図４】
2008211580.tif 000006
【図５】
2008211580.tif 000007
【図６】
2008211580.tif 000008